(57)【要約】【課題】液晶表示装置等の表示面側に装着され、表示内容と対応してペンまたは指による押圧操作で座標位置入力ができるタッチパネルおよびそれを用いた電子機器に関し、粘着固定された可視領域内に相当する部分に気泡などが入り込み難く貼り付けできるものを提供する。【解決手段】タッチパネルを構成する下方側の第一基板１下面に、機器装着用の粘着層２１を、外周部５領域を除く可視領域の範囲内のみに構成し、上記外周部５位置を除いて当該可視領域内のみを上方から押ししごいて使用機器の被装着部である液晶表示装置１２上に貼り付けすることにより、粘着固定された可視領域内に相当する部分に気泡などが入り込み難く貼り付けでき、高品質の電子機器が容易に実現できる。【選択図】図１
2005115729.tif 000002
【特許請求の範囲】
【請求項１】
導電膜を有する二枚の絶縁フィルムが、上記導電膜同士を対向させ、かつその間に所定間隔を維持するよう枠状の外周部で互いに接着固定され、その外周部の内部領域が可視領域となるタッチパネルにおいて、使用機器に装着するための粘着層が、下方に配置された上記絶縁フィルムの外周部領域を除く可視領域の範囲内のみに構成され、上記外周部位置を除いて当該可視領域内のみを上方から押さえて使用機器の被装着部に装着できるタッチパネル。
【請求項２】
さらに、粘着層の絶縁フィルムに粘着されていない面側に剥離紙が貼り付けられ、その剥離紙の大きさが、上記粘着層の形成範囲よりも大きく、かつ上記絶縁フィルムの外形と同等もしくはそれ以下の大きさとされた請求項１記載のタッチパネル。
【請求項３】
請求項１記載のタッチパネルが、表示部に対し、可視領域に応じた範囲のみに構成された粘着層で粘着固定されることによって、当該可視領域内が密着状態に装着された電子機器。
【発明の詳細な説明】
【技術分野】
【０００１】
本発明は、液晶表示装置等の表示画面に装着され、表示内容と対応してペンまたは指による押圧操作で座標位置入力ができるタッチパネルおよびそれを用いた電子機器に関するものである。
【背景技術】
【０００２】
近年、携帯機器等を含め各種電子機器は、表示内容に対応してペンまたは指での押圧操作で座標位置入力ができるタッチパネルを使用する形態のものが増えている。
【０００３】
そして、そのタッチパネルの方式としては、抵抗膜アナログ方式のものが多く使用され、その中でも近年の機器の軽量化等に伴い、二枚のフィルム同士を対向状態で貼り合わせて構成されたもの、所謂フィルム−フィルムタイプのタッチパネルも普及し始めている。
【０００４】
以下、従来の透明タッチパネルについて、図面を用いて説明する。
【０００５】
図４は従来のタッチパネルの装着状態を示す断面図、図５は同上面図である。
【０００６】
なお、各図面においては構成が理解し易いように厚み方向の寸法を拡大して示している。
【０００７】
同図において、１は、光透過性絶縁フィルムからなる第一基板であり、この第一基板１の上面には、スパッタリング等によって酸化インジウム・スズ（以下、ＩＴＯと言う。）等からなる第一透明導電膜２が形成されている。
【０００８】
そして、３は、第一基板１と対向させて配置された光透過性絶縁フィルムからなる第二基板であり、その下面にはスパッタリング等によりＩＴＯ等からなる第二透明導電膜４が形成されている。
【０００９】
この第一基板１と第二基板３とは、互いの第一透明導電膜２と第二透明導電膜４とが所定間隔を維持するよう、額縁状に設けられた外周部５で対向状態に貼り合わされている。
【００１０】
なお、この外周部５は、図４に示すように、絶縁層５Ａ・５Ｂや接着層５Ｃが積載されて構成されている。
【００１１】
なお、この外周部５内には、図示や詳細な説明は省略するが、配線パターン・電極等も構成されている。
【００１２】
そして、図５中に点線で示すように、外周部５の内部領域は、矩形状に構成され、この領域が当該タッチパネルの可視領域となる。
【００１３】
なお、前記第一透明導電膜２上における当該可視領域に対応する部分には、絶縁性のエポキシ樹脂等による微小寸法のドットスペーサ６（図４参照）が所定ピッチで設けられている。
【００１４】
また、７は、第一透明導電膜２および第二透明導電膜４のそれぞれと電気的に接続されている外部機器接続用のフレキシブル配線板（以下、ＥＰＣと言う。）である（図５参照）。
【００１５】
そして、図４に示すように、下方に配置された第一基板１の下面全面には、機器装着用の粘着層１１が配され、従来のタッチパネルは、この粘着層１１を、使用機器の被装着部となる液晶表示装置１２上に粘着させて装着されるものであった。
【００１６】
そして、その動作としては、液晶表示装置１２に所定メニューを表示させ、タッチパネルを透過して視認できる希望項目箇所の部分に対し、使用者は、第二基板３上からペンや指で押圧操作し、第二基板３を部分的に下方に撓ませ、当該操作箇所に応じた第二透明導電膜４部分を第一透明導電膜２に接触させる。
【００１７】
このとき、上記操作箇所以外は、ドットスペーサ６で規制され、非接触の状態が維持されている。
【００１８】
そして、この状態で、第一透明導電膜２および第二透明導電膜４に所定電圧を交互に印加し、その接触点における電圧比率をＦＰＣ７を介して導出し、それを元に入力操作位置を外部回路で検出して上記希望項目が作動されるものであった。
【００１９】
なお、この出願の発明に関連する先行技術文献情報としては、例えば、特許文献１、特許文献２が知られている。
【特許文献１】特開平１０−２２２３０５号公報
【特許文献２】特開平０９−２５１１５９号公報
【発明の開示】
【発明が解決しようとする課題】
【００２０】
通常、タッチパネルを被装着部となる液晶表示装置１２に装着する際には、光の屈折率の差に起因して表示状態が劣化等しないように、両者間に空気層を介在させない構成が好まれる。
【００２１】
そして、上記従来のタッチパネルも、その要望を満たすように、機器装着用の粘着層１１を第一基板１の下面全面に配して液晶表示装置１２に粘着させる構成であったが、特に外周部５を有するタッチパネルでは、所定厚みで構成される額縁状の外周部５部分と可視領域内とは実質的な段差が発生し、ゴム等で構成された治具でタッチパネル上方から押圧しつつしごいて液晶表示装置１２に粘着層１１を粘着させていっても、上記段差の影響で境界部分位置などに気泡が入り易く、場合によっては、その気泡が可視領域内に対応する位置まで達することもあり、完全な密着状態で貼りムラを少なく粘着させて装着することが難しいという課題があった。
【００２２】
本発明は、このような従来の課題を解決するものであり、使用機器の液晶表示装置等に粘着層を粘着させて装着する際、粘着固定された可視領域内に対応する部分に気泡などが入り込み難く貼り付けできるタッチパネルおよびそれを用いた電子機器を提供することを目的とする。
【課題を解決するための手段】
【００２３】
上記目的を達成するために本発明は、以下の構成を有するものである。
【００２４】
本発明の請求項１に記載の発明は、導電膜を有する二枚の絶縁フィルムが、上記導電膜同士を対向させ、かつその間に所定間隔を維持するよう枠状の外周部で互いに接着固定され、その外周部の内部領域が可視領域となるタッチパネルにおいて、使用機器に装着するための粘着層が、下方に配置された上記絶縁フィルムの外周部領域を除く可視領域の範囲内のみに構成され、上記外周部位置を除いて当該可視領域内のみを上方から押さえて使用機器の被装着部に装着できるタッチパネルとしたものであり、粘着層を構成してある可視領域内のみに応じた部分は大きいい段差もないので、外周部を除き当該可視領域内のみを押さえて使用機器の液晶表示装置等に粘着層を粘着させて装着すると、気泡なども入り込み難く、高品質に装着性良く使用機器に装着できるという作用を有する。
【００２５】
本発明の請求項２に記載の発明は、請求項１記載の発明において、さらに、粘着層の絶縁フィルムに粘着されていない面側に剥離紙が貼り付けられ、その剥離紙の大きさが、上記粘着層の形成範囲よりも大きく、かつ上記絶縁フィルムの外形と同等もしくはそれ以下の大きさとされたものであり、粘着層を構成していない額縁状の外周部の部分に剥離紙の端部が突出した状態にでき、その端部を持って剥離紙を剥離できることから、粘着層が形成されていない外周部の部分を有効活用して取り扱い性や装着性等の向上が図れたものにできるという作用を有する。
【００２６】
本発明の請求項３に記載の発明は、請求項１記載のタッチパネルが、表示部に対し、可視領域に応じた範囲のみに構成された粘着層で粘着固定されることによって、当該可視領域内が密着状態に装着された電子機器としたものであり、表示部における可視領域内に気泡などの混入が少なく見映え等の優れた高品質のものが得られると言う作用を有する。
【発明の効果】
【００２７】
以上のように本発明によれば、外周部を除く可視領域に応じた範囲内のみに粘着層を構成し、この可視領域内部分のみを上方から押さえて使用機器の液晶表示装置などに装着できるものであるため、外周部を有するものであっても、粘着固定された可視領域内において粘着層と被装着部との間に気泡などが入り込み難く装着できるタッチパネルおよびそれを用いた電子機器が実現できると言う有利な効果が得られる。
【発明を実施するための最良の形態】
【００２８】
以下、本発明の実施の形態について、図１〜図３を用いて説明する。
【００２９】
なお、従来の技術の項で説明した構成と同一構成の部分には同一符号を付して、詳細な説明を簡略化する。
【００３０】
（実施の形態）
図１は本発明の一実施の形態によるタッチパネルの装着状態を示す断面図、図２は同タッチパネルの装着準備状態を示す断面図、図３は同タッチパネルの装着前において剥離紙を部分断面とした下面図である。
【００３１】
同図に示すように、本実施の形態によるタッチパネルも、ともに光透過性絶縁フィルムからなる第一基板１と第二基板３が、互いの第一透明導電膜２と第二透明導電膜４が所定間隔を維持するよう、額縁状に設けられた外周部５で対向状態に貼り合わされて構成されている点では、従来のものと同じである。
【００３２】
また、図３中に外側の点線で示す矩形状に構成された外周部５の内部領域が、当該タッチパネルの可視領域となること、その可視領域に応じた第一透明導電膜２上にドットスペーサ６（図１参照）が所定ピッチで設けられていることや、さらには第一透明導電膜２および第二透明導電膜４のそれぞれと電気的に接続される外部機器接続用のフレキシブル配線板７（図３参照）を備えていることも従来のものの場合と同じである。
【００３３】
しかしながら、本実施の形態によるものは、下方に配置された第一基板１下面の使用機器装着用の粘着層２１の配設状態が異なるものとなっている。
【００３４】
つまり、本実施の形態によるものは、粘着層２１が、第一基板１の下面において、可視領域に応じた範囲内に相当する部分のみの全面に構成されたものとなっている。
【００３５】
そして、当該タッチパネルの装着前の状態では、図２および図３に示すように、その粘着層２１の下面に、上面側が剥離処理された剥離紙２２が粘着層２１を覆うように貼り合わされており、その剥離紙２２の大きさは、上記粘着層２１の形成範囲よりも大きく、かつ第一基板１の外形と同等もしくはそれよりも若干小さい形状になされたものとなっている。
【００３６】
以上のように本実施の形態によるタッチパネルは構成され、使用時には図２に示すように剥離紙２２を剥がして、図１に示すように、使用機器の液晶表示装置１２などの被装着部に対し、露出した粘着層２１下面を粘着させて装着するものである。
【００３７】
このとき、剥離紙２２の外周部５位置に相当する部分は、粘着層２１のない部分となっているために、その粘着されていない端部部分を持って剥離紙２２を容易に剥がすことができる。
【００３８】
すなわち、当該構成であれば、上記外周部５位置に相当する剥離紙２２部分も有効活用できるものである。
【００３９】
そして、剥離紙２２を剥がした状態とされた本実施の形態によるタッチパネルは、ゴム製の治具等でタッチパネル上方から、外周部５の部分を除いて可視領域内の部分のみを押ししごきつつ、被装着部上に粘着層２１下面を粘着させていき装着させるものである。
【００４０】
このとき、外周部５に応じた部分を除き、可視領域内のみを治具等でしごきつつ被装着部上に粘着層２１下面を粘着させていくことが重要で、上記手法とすることによって、外周部５の厚み等に拘わらず、実質的な大きな段差のない可視領域内の全面で、粘着層２１が、被装着部に対し気泡などの混入のない状態で容易に密着状態で粘着されたものにでき、視認性に優れた高品質な電子機器を容易に構成できる。
【００４１】
なお、外周部５に応じた部分に粘着層２１を形成していない構成としてあるために、上記装着作業中に、当該外周部５に応じた部分が不用意に被装着部などに粘着することもないので、上記装着作業性も良好である。
【００４２】
また、剥離紙２２を剥がした後、その粘着層２１が形成されていない外周部５に応じた部分を利用して取り扱うようにすると、従来のものに対し取り扱い性等も大きく向上する。
【００４３】
以上のようにして使用機器の被装着部となる液晶表示装置１２等に装着された本実施の形態によるタッチパネルの動作は、従来のものの場合と同じであるため、説明を省略する。
【００４４】
そして、当該タッチパネルが液晶表示装置１２に装着された電子機器は、当該タッチパネルの可視領域内の全面が、気泡などの混入が少なく密着状態で装着されたものに容易にできるため、表示状態の視認性や見映えなどの優れた高品質のものとなる。
【００４５】
なお、上記にはフィルム−フィルムタイプの透明タッチパネルの事例を用いて説明したが、それ以外の構成、例えばフィルム−ガラスタイプやフィルム−フィルムタイプに支持基板が付加されたものに本発明による思想を適合させても同様の効果が期待できる。
【００４６】
また、上記フィルム−フィルムタイプに支持基板が付加されたものにおいては、支持基板とそれに粘着固定されるフィルム間における固定部分に本発明による思想を適合させてもよい。
【産業上の利用可能性】
【００４７】
本発明によるタッチパネルおよびそれを用いた電子機器は、気泡などが入り込み難い状態で装着でき、これを用いた電子機器としても、表示部における可視領域内の見映え等の優れた高品質のものが容易に実現できるという効果を有し、液晶表示装置等の表示面側に装着され、表示内容と対応してペンまたは指による押圧操作で座標位置入力を要する電子機器等に有用である。
【図面の簡単な説明】
【００４８】
【図１】本発明の一実施の形態によるタッチパネルの装着状態を示す断面図
【図２】同タッチパネルの装着準備状態を示す断面図
【図３】同タッチパネルの装着前において剥離紙を部分断面とした下面図
【図４】従来のタッチパネルの装着状態を示す断面図
【図５】同上面図
【符号の説明】
【００４９】
１  第一基板
２  第一透明導電膜
３  第二基板
４  第二透明導電膜
５  外周部
６  ドットスペーサ
７  フレキシブル配線板
１２  液晶表示装置
２１  粘着層
２２  剥離紙
【図１】
2005115729.tif 000003
【図２】
2005115729.tif 000004
【図３】
2005115729.tif 000005
【図４】
2005115729.tif 000006
【図５】
2005115729.tif 000007